(57)【要約】      （修正有）【課題】画質調整に係るパラメータを、簡便に設定する。【解決手段】制御部１０は、表示パラメータを３つ以上決定する表示パラメータ決定部１２と、表示パラメータの調整範囲および現在値を所定の形式の一図表にまとめて表示部４０に表示させる表示制御部１５とを備える。【選択図】図１
2017175461.tif 000002
【特許請求の範囲】
【請求項１】
表示部に表示される映像の画質調整に係るパラメータの値を決定する画質調整装置であって、
異なる上記パラメータを３つ以上決定するパラメータ決定部と、
上記パラメータ決定部が決定した３つ以上の上記パラメータの調整範囲および現在値を、所定の形式の一図表にまとめて上記表示部に表示させる表示制御部と、を備えることを特徴とする画質調整装置。
【請求項２】
上記映像の種類を特定する種類特定部を備え、
上記パラメータ決定部は、上記種類特定部が特定した上記映像の種類に応じた３つ以上のパラメータを決定することを特徴とする、請求項１に記載の画質調整装置。
【請求項３】
上記表示制御部は、上記所定の形式の図表として、上記パラメータ決定部が決定したパラメータのうち３つのパラメータを、方向の異なる３つの辺に割り当てた空間図形を上記表示部に表示させることを特徴とする、請求項１または２に記載の画質調整装置。
【請求項４】
上記空間図形は直方体であることを特徴とする、請求項３に記載の画質調整装置。
【請求項５】
上記表示制御部は、
上記パラメータ決定部が決定した上記３つ以上のパラメータのうち２つのパラメータの大小を縦軸および横軸で示し、
上記３つ以上のパラメータのうち１つ以上を、上記２つのパラメータの現在値を示すオブジェクトの大きさ、形状、および色の少なくともいずれかで示したグラフを、上記所定の形式の図表として上記表示部に表示させることを特徴とする、請求項１または２に記載の画質調整装置。
【請求項６】
入力操作に応じて、上記図表に表示された１つ以上のパラメータに対する、現在値の変更指示を検出する変更指示検出部と、
上記表示部に表示された上記図表における上記パラメータの現在値を、上記変更指示検出部の検出した上記変更指示に応じた値に変更する現在値変更部と、を備え、
上記表示制御部は、上記現在値変更部が変更した後の現在値を上記図表中に反映させることを特徴とする、請求項１〜５のいずれか１項に記載の画質調整装置。
【請求項７】
上記パラメータ決定部が決定するパラメータのうち少なくとも１つのパラメータは、上記表示部の画質調整を行う際に使用される一次パラメータを複数統合した、統合パラメータであることを特徴とする、請求項１〜６のいずれか１項に記載の画質調整装置。
【請求項８】
上記パラメータ決定部が決定するパラメータのうち少なくとも１つのパラメータは、上記表示部の画質調整を行う際に使用される一次パラメータをさらに詳細に調整することが可能な詳細パラメータであることを特徴とする、請求項１〜６のいずれか１項に記載の画質調整装置。
【請求項９】
請求項１〜８のいずれか１項に記載の画質調整装置と、
上記画質調整装置で画質調整された映像を表示する表示部と、を備えることを特徴とするテレビジョン受像機。
【請求項１０】
表示部に表示される映像の画質調整に係るパラメータの値を決定する画質調整装置の制御方法であって、
異なる上記パラメータを３つ以上決定するパラメータ決定ステップと、
上記パラメータ決定ステップにて決定した３つ以上の上記パラメータの調整範囲および現在値を、所定の形式の一図表にまとめて上記表示部に表示させる表示制御ステップと、を含むことを特徴とする、画質調整装置の制御方法。
【請求項１１】
請求項１に記載の画質調整装置としてコンピュータを機能させるための制御プログラムであって、上記パラメータ決定部および上記表示制御部としてコンピュータを機能させるための制御プログラム。
【発明の詳細な説明】
【技術分野】
【０００１】
本発明は、表示部に表示する映像の画質調整に係るパラメータの値を決定する画質調整装置等に関する。
【背景技術】
【０００２】
従来から、テレビジョン受像機等の表示装置における画質調整技術が種々開発されている。しかしながら、表示装置や表示する映像データの録画技術の進歩により、画質調整において調整可能なパラメータが増えたため、ユーザが画質調整を行う際の操作が複雑化してしまっていた。この問題を解決するために、画面上に色見本とカーソルを表示して、使用者からの入力に応じてカーソルを動かすとともに、カーソルの位置に応じてＲＧＢゲインを調整する技術が開発された（下記特許文献１）。
【先行技術文献】
【特許文献】
【０００３】
【特許文献１】特開２００１−１７７８４６号公報（２００１年６月２９日公開）
【発明の概要】
【発明が解決しようとする課題】
【０００４】
しかしながら、特許文献１に記載の技術はホワイトバランスの調整を簡便にする技術であるため、例えばバックライトの輝度、解像度、シャープネス等、画質調整に係るパラメータでそれぞれ異なる調整を行うためのパラメータについては、ユーザの設定操作を簡潔化することはできなかった。
【０００５】
本発明は上記問題点に鑑みてなされたものであり、その目的は、画質調整に係るパラメータを、簡便に設定することが可能な画質調整装置等を実現することにある。
【課題を解決するための手段】
【０００６】
上記の課題を解決するために、本発明の一態様に係る画質調整装置は、表示部に表示される映像の画質調整に係るパラメータの値を決定する画質調整装置であって、異なる上記パラメータを３つ以上決定するパラメータ決定部と、上記パラメータ決定部が決定した３つ以上の上記パラメータの調整範囲および現在値を、所定の形式の一図表にまとめて上記表示部に表示させる表示制御部と、を備えることを特徴とする。
【０００７】
また、上記の課題を解決するために、本発明の一態様に係る画質調整装置の制御方法は、表示部に表示される映像の画質調整に係るパラメータの値を決定する画質調整装置の制御方法であって、異なる上記パラメータを３つ以上決定するパラメータ決定ステップと、上記パラメータ決定ステップにて決定した３つ以上の上記パラメータの調整範囲および現在値を、所定の形式の一図表にまとめて上記表示部に表示させる表示制御ステップと、を含むことを特徴とする。
【発明の効果】
【０００８】
本発明の一態様によれば、画質調整に係るパラメータを簡便に設定することが可能になるという効果を奏する。
【図面の簡単な説明】
【０００９】
【図１】本発明の実施形態１に係るテレビの要部構成を示すブロック図である。
【図２】上記テレビにおける画質調整のパラメータの具体例を示す図である。図２の（ａ）は一次パラメータの具体例を示し、図２の（ｂ）は二次パラメータの具体例と、一次パラメータと二次パラメータとの対応関係を示す図である。
【図３】図３の（ａ）〜（ｄ）は、上記テレビに表示される画質調整メニューの表示方法の具体例を示す図である。
【図４】図４の（ａ）および（ｂ）は、上記画質調整メニューに表示される図表の具体例を示す図である。
【図５】上記テレビにおいて画質調整メニューを表示する際の処理の流れの一例を示すフローチャートである。
【図６】上記テレビの制御部における画質調整メニュー表示処理の流れの一例を示すフローチャートである。
【図７】上記テレビの制御部における画質調整処理の流れの一例を示すフローチャートである。
【図８】図８の（ａ）〜（ｃ）は、上記画質調整メニューに表示される図表の他の一例を示す図である。
【図９】上記画質調整メニューに表示される図表のさらに他の一例を示す図である。
【発明を実施するための形態】
【００１０】
〔実施形態１〕
以下、本発明の実施の形態について、詳細に説明する。まず始めに、本発明に係るテレビ（テレビジョン受像機）１の要部構成を、図１を用いて説明する。図１はテレビ１の要部構成を示すブロック図である。
【００１１】
≪要部構成≫
（テレビ１）
テレビ１は、受信した放送波から映像データを抽出し、当該映像データに応じた画像を表示するテレビジョン受像機である。テレビ１は、特定ジャンルの映像データを受信した場合、ユーザの入力操作に応じて、画質の調整に係るパラメータを３つ以上配置した空間図形を含む、画質調整メニューを表示する。なお、空間図形の具体例については、後で詳述する。なお、テレビ１は、インターネットを介して受信した、または、ＤＶＤプレーヤー等の他の電子機器から受信した映像データに応じた画像を表示してもよい。テレビ１は、より詳しくは、制御部（画質調整装置）１０と、映像受信部２０と、入力受信部３０と、表示部４０と、記憶部５０とを含む。また、テレビ１は付属機器として、入力装置であるリモコン２も備えている。リモコン２は、ユーザの入力を受付ける入力装置である。リモコン２はユーザの入力操作を示す入力信号（赤外線信号など）を発信する。
【００１２】
（映像受信部２０と入力受信部３０）
映像受信部２０は、放送波を受信し、当該放送波に含まれる映像データを抽出するものである。映像受信部２０は抽出した映像データを表示部４０および制御部１０に送信する。なお、映像受信部２０は放送波以外に、例えばインターネットや他の電子機器から映像データを受信し、表示部４０および制御部１０に送信してもよい。また、映像受信部２０は上記映像データに係る付随情報を放送波（またはインターネットもしくは他の電子機器）から取得し、映像データとともに制御部１０へ送信する。
【００１３】
入力受信部３０は、リモコン２が発信した入力信号を受信する。なお、テレビ１はリモコン２とともに、またはリモコン２の代わりに、ボタンやスイッチなどの入力装置を備えていてもよい。またこの場合、入力受信部３０はボタンやスイッチ等に対するユーザの入力操作を入力信号として受信すればよい。
【００１４】
（制御部１０）
制御部１０は、テレビ１が備える各部を統括的に制御するとともに、表示部４０の画質調整に係る各種処理を行う。制御部１０は、さらに詳しくは、ジャンル特定部（種類特定部）１１と、表示パラメータ決定部（パラメータ決定部）１２と、指示検出部（変更指示検出部）１３と、パラメータ変更部（現在値変更部）１４と、表示制御部１５とを含む。
【００１５】
ジャンル特定部１１は、映像データのジャンルを特定する。映像データのジャンルとは映像の種類であって、例えば映画、スポーツ、バラエティーなど映像の内容に係る分類、または映像の規格に係る分類を示す。
【００１６】
ジャンル特定部１１のジャンルの特定方法は特に限定されないが、例えば映像受信部２０から受信した付随情報に基づいて、または映像データ自体を解析することにより、映像データのジャンルを特定すればよい。ジャンル特定部１１は特定したジャンルを示す情報であるジャンル情報を表示パラメータ決定部１２に通知する。また、ジャンル特定部１１は映像データとジャンル情報とを表示制御部１５に送信する。
【００１７】
なお、ジャンル特定部１１は、上記特定したジャンルが、画質調整メニューを表示すべき所定のジャンルである場合だけ、表示パラメータ決定部１２および表示制御部１５にジャンル情報を送信する構成であることが望ましい。
【００１８】
例えば映像のジャンルがバラエティー等である場合、ユーザは表示部４０の画質についてそれほど厳密には拘らないものと推測される。そのため、ジャンル特定部１１はジャンルがバラエティーの場合はジャンル情報を送信しないことにより、表示制御部１５におけるメニューボタン（後述）および画質調整メニューの表示制御や、表示パラメータ決定部１２における表示パラメータの決定（後述）の処理を省くことができる。またユーザにとっても、画質調整が不要なときに不要なボタンやメニュー画面などが表示されないため、利便性が向上する。
【００１９】
表示パラメータ決定部１２は、画質の調整に係るパラメータを３つ以上決定するものである。表示パラメータ決定部１２は、指示検出部１３から、画質調整メニューの表示指示を受信すると、ジャンル特定部１１から通知されたジャンル情報に応じて、画質調整メニューにおいて調整可能なパラメータとして表示するパラメータ（表示パラメータ）を３つ以上決定する。
【００２０】
（表示パラメータの種類と選定）
ここで、表示パラメータの種類について詳細に説明する。図２は、テレビ１における表示パラメータの具体例を示す図である。なお、図２に示す表は説明のための表であり、図２の（ａ）および（ｂ）に示す表はテレビ１に保存されていなくてもよい。
【００２１】
本実施例において、表示パラメータ決定部１２は、表示パラメータとして二次パラメータを３つ以上決定する。二次パラメータとは、表示部４０における表示の調整項目である一次パラメータを複数統合した統合パラメータ、または、一次パラメータをさらに詳細に調整することが可能な詳細パラメータを意味する。以下、一次パラメータと二次パラメータについて、具体例を挙げて説明する。
【００２２】
図２の（ａ）に示す表は一次パラメータの具体例を示している。一次パラメータとは、表示部４０の画質調整を行う際に直接使用されるパラメータである。より詳しく言えば、一次パラメータは、コントラスト、明るさ（バックライトの照度）等、ハードウェアとしての表示部４０の画質調整に係るパラメータと、ノイズリダクション等、映像受信部２０が受信した映像データ自体の加工により画質を調整するパラメータと、の両方を含む。
【００２３】
図２の（ｂ）に示す表は二次パラメータの具体例と、一次パラメータと二次パラメータとの対応関係とを示している。なお、各パラメータの項目および調整可能な範囲や、統合パラメータの値を変更したときに、一次パラメータがそれぞれどのように変化するかは、テレビ１（特に表示部４０）の性能等に応じて適宜定めて良い。
【００２４】
図中の「明るさ感」は、二次パラメータであって、明るさ（表示部４０のバックライトの照度）、映像レベル、ガンマ設定、および色の濃さを組み合わせ統合した統合データである。換言すると、明るさ感の値が変更になると、明るさ、映像レベル、ガンマ設定、および色の濃さの値がそれぞれ上記変更の度合いに応じた値に変更される。「明るさ感」の値を変更することで、表示部４０における見た目の明るさを最適化することができる。
【００２５】
例えば、「明るさ感」の値を所定の第１閾値より高めた場合、バックライトの照度の値を上げ、映像レベルの値も上げ、ガンマ設定にてガンマ値が下がるよう規定すればよい。また、「明るさ感」の値を第１閾値から低下させた場合、上述した値の変化と逆の変化が起こるようにすればよい。いずれの場合も、映像レベルとガンマ設定とを変更すると色の濃さが変わって見えるため、見た目上色シフトが起こらないように、色の濃さを適宜微調整する。
【００２６】
また、「解像感」は超解像の強度およびノイズリダクションの値が関連して変更されるように組み合わせた統合データである。「解像感」の値を変更することで表示部４０における見た目の解像度を最適化することができる。
【００２７】
また、「動き補正」は、ＦＲＣおよびエンハンスの値が関連して変更されるように組み合わせた統合データである。「動き補正」の値を適切に変更することで、激しい動きがある映像データでも、動きを滑らかに表示することができる。
【００２８】
また、「コントラスト感」は、ガンマ設定および信号レベルの値が関連して変更されるように組み合わせた統合データである。「コントラスト感」の値を変更することで、表示部４０における見た目のコントラストを最適化することができる。例えば、「コントラスト感」の値を所定の第２閾値より高めた場合、場合、ガンマ設定をＳ字ガンマに規定し、信号レベルを高めればよい（例えば１１０％）。また、「コントラスト感」の値を所定の第３閾値より下げた場合、ガンマ設定を２．２のリニアガンマに規定し、信号レベルを下げればよい（例えば１００％）。なお、第２閾値および第３閾値は同じ値でもよい。
【００２９】
また、「くっきり感」は、明るさ、色の濃さ、およびディテール協調の値が関連して変更されるように組み合わせた統合データである。「くっきり感」の値を変更することで、表示部４０における画像のエッジの強調具合（どの程度くっきり見えるか）を調整することができる。
【００３０】
一方、図２の（ａ）で示した「色再現」というパラメータは一次パラメータとしては２段階調整が可能なパラメータであるが、図２の（ｂ）に示すように、二次パラメータとして調整段階を増やす、すなわちより詳細な調整が可能な詳細パラメータとして扱うこともできる。具体例を挙げると、一次パラメータとしての「色再現」は、色再現のテーブルをＢＴ７０９またはＢＴ２０２０のいずれにするかを規定する項目であるが、二次パラメータ（詳細パラメータ）としての「色再現」は、ＢＴ７０９のテーブルとＢＴ２０２０のテーブルとの間の色再現の段階（再現度合い）にも選択することが可能な詳細パラメータである。本実施形態では一例として、詳細パラメータの場合、８段階で色再現の度合いを選択可能であるとする。
【００３１】
なお、上述の通り本実施形態に係る表示パラメータ決定部１２は、表示パラメータとして二次パラメータを３つ以上決定することとした。しかしながら、表示パラメータ決定部１２は、一次パラメータと二次パラメータとから合わせて３つ以上のパラメータを選定し、表示パラメータとして決定すればよい。例えば、表示パラメータ決定部１２は３つの一次パラメータを表示パラメータとしてもよいし、一次パラメータ１つと、二次パラメータ２つを表示パラメータとしてもよい。
【００３２】
また、表示パラメータ決定部１２は、二次パラメータ同士をさらに統合した統合パラメータ（便宜上、三次パラメータと称する）を表示パラメータの１つとして決定してもよい。例えば、二次パラメータであって詳細パラメータである「色再現（８段階）」と、一次パラメータである色の濃さとを統合した三次パラメータを表示パラメータとしてもよい。
【００３３】
表示パラメータ決定部１２は、ジャンル特定部１１から受信したジャンル情報の示すジャンルに応じて、上述した一次パラメータおよび二次パラメータ（および三次パラメータ）から、３つ以上のパラメータを表示パラメータとして決定する。表示パラメータ決定部１２は決定した表示パラメータを表示制御部１５に伝える。
【００３４】
なお、本実施形態では以降、一例として、映像のジャンルが映画である場合に「明るさ感」、「解像感」、「色再現（８段階）」の３つの二次パラメータを表示パラメータとして決定することとし、映像のジャンルがスポーツである場合に「動き補正」「コントラスト感」「くっきり感」の３つの二次パラメータを表示パラメータとして決定することとする。
【００３５】
指示検出部１３は、入力受信部３０が受信した入力信号から、当該信号（信号に変換されたユーザの入力操作）が示す指示を検出する。指示検出部１３は、入力信号から画質調整メニューの表示指示を検出した場合は、当該表示指示を表示パラメータ決定部１２に送る。また、指示検出部１３は入力信号から、１つ以上の表示パラメータに対する現在値の変更指示を検出した場合は、当該変更指示をパラメータ変更部１４に送る。
【００３６】
パラメータ変更部１４は、指示検出部１３から上記変更指示を受信した場合に、１つ以上の表示パラメータの現在値を当該変更指示に応じて変更する。より詳しくは、パラメータ変更部１４は、現在値の変更指示を受信すると、変更対象のパラメータが一次パラメータ、または二次パラメータのうちの詳細データである場合、記憶部５０の、一次パラメータの現在値５１を、当該変更指示が示す変更後の値に書き替える。またパラメータ変更部１４は、変更対象のパラメータが二次パラメータのうちの統合データ（または三次パラメータ）である場合、記憶部５０の現在値５１のうち、当該統合データに含まれる一次パラメータの現在値５１を、それぞれ変更指示に応じた値に書き替える。パラメータ変更部１４は一次パラメータの現在値を変更すると、表示制御部１５に当該変更を通知する。なお、パラメータ変更部１４は一次パラメータの現在値５１とともに、二次パラメータの現在値を記憶部５０に記憶させてもよい。
【００３７】
表示制御部１５は、メニューボタンを表示部４０に表示させる。また、表示制御部１５は画質調整メニューを作成し表示部４０に表示させる。画質調整メニューとは、表示パラメータ決定部１２が決定した表示パラメータの調整範囲および現在値をまとめた１図表を含む、表示部４０の画質調整のためのメニュー画面である。表示制御部１５はさらに、パラメータ変更部１４から現在値の変更を通知された場合、記憶部５０から変更後の一次パラメータの現在値５１を読み出し、当該変更後の一次パラメータの現在値と、当該現在値を表示パラメータの値に反映させた画質調整メニューとを、表示部４０に送信する。なお、記憶部５０が二次パラメータの現在値を記憶している場合、表示制御部１５は当該現在値を読み出して画質調整メニューを作成してもよい。
【００３８】
（画質調整メニューの表示）
ここで、以下、画質調整メニューおよび当該メニューに表示される図表について、図３および図４を用いて詳細に説明する。図３の（ａ）〜（ｄ）は、画質調整メニューの表示方法の具体例を示す図である。
【００３９】
表示制御部１５はジャンル特定部１１からジャンル情報を受信すると、図３の（ａ）に示すように画質調整メニューを開くためのメニューボタンＡ１を表示部４０に表示させる。なお、メニューボタンＡ１の配置位置は特に限定されないが、ユーザの画像（コンテンツ）の視聴が妨げられない位置に表示することが望ましい。
【００４０】
ここで、ユーザがリモコン２を用いて、メニューボタンＡ１を選択する操作を行うと、入力受信部３０は入力信号を受信し、指示検出部１３は当該入力信号から、画質調整メニューの表示指示を検出する。当該表示指示は表示パラメータ決定部１２に伝えられ、表示パラメータ決定部１２は表示パラメータを決定し表示制御部１５に送る。表示制御部１５は、表示パラメータを通知されると、画質調整メニューαを表示部４０に表示させる。
【００４１】
なお、表示制御部１５は、図３の（ｂ）に示すように画質調整メニューαを表示部４０の表示面一杯に表示させてもよいし、図３の（ｃ）に示すようにコンテンツと別画面で並べて表示させてもよいし、図３の（ｄ）に示すようにコンテンツに重畳するように表示させてもよい。
【００４２】
また、表示制御部１５は、画質調整メニューとともに、当該メニューの表示を終了させるための終了ボタンＡ２を表示部４０に表示させてもよい。そして、指示検出部１３において終了ボタンＡ２が選択された旨の指示が検出された場合、表示制御部１５は画質調整メニューの表示を終了してもよい。
【００４３】
（画質調整メニューに含まれる図表の詳細）
画質調整メニューαには、３つ以上のパラメータの調整範囲および現在値がまとめて示された所定の形式の図表βが含まれている。ユーザは入力操作を行うことで、図表βに示された各パラメータを変更することができる。以下、図４を用いて、図表βについて詳細に説明する。なお、本実施形態では、図表βは３つの表示パラメータを調整可能に配置した図表であるとして説明を行う。
【００４４】
図４の（ａ）および（ｂ）は、記画質調整メニューαに表示される図表βの具体例を示す図である。図４の（ａ）は、映像のジャンルが映画であった場合の、（ｂ）は映像のジャンルがスポーツであった場合の図表βを示している。
【００４５】
図示の通り、図表βは、３つのパラメータの値の大小を、直方体の空間図形の縦、横、高さの各辺に対する相対位置（縦、横、高さをそれぞれｘｙｚ軸として見た場合の座標）で示す図表である。図表βには、現在値のポインタＢが点または球として示される。このように、画質調整に係るパラメータの調整範囲および現在値を１つの空間図形で示すことで、表示パラメータおよびその現在値をより視認性良く、かつ簡潔に示すことができる。
【００４６】
（表示部４０）
表示部４０は、映像受信部２０から映像データを受信し表示するディスプレイである。表示部４０は、表示制御部１５から一次パラメータの値を受信すると、当該値に応じて画質調整を行うドライバを含んでいる。例えば、表示部４０は表示制御部１５からコントラスト、ＲＧＢ等、ハードウェアに係る一次パラメータの値を受信した場合、ディスプレイの画質調整を行う。表示部４０はまた、表示制御部１５かノイズリダクション等の映像データに係る一次パラメータの値を受信した場合は、映像受信部２０から受信した映像データに加工を施してから表示することにより、画質を調整する。さらに、表示部４０は表示制御部１５が作成した画質調整メニューおよびメニューボタン（ならびに終了ボタン）を表示する。なお、表示部４０は、入力装置としてのタッチパネルと一体に形成されていてもよい。
【００４７】
（記憶部５０）
記憶部５０は、テレビ１において必要な各種データを記憶するものである。より具体的には、記憶部５０は表示制御部１５が表示するメニューボタン、終了ボタン、および画質調整メニューの画像データを記憶しており、これらの画像データは適宜表示制御部１５に読み出される。また、記憶部５０は表示部４０の画質調整の設定項目である、一次パラメータの現在値５１を記憶している。一次パラメータの現在値５１はパラメータ変更部１４によって書き換えられる。なお、記憶部５０は二次パラメータの現在値を記憶していてもよい。
【００４８】
≪テレビ１の処理の流れ≫
続いて、テレビ１の処理の流れについて図５を用いて説明する。図５は、テレビ１において画質調整メニューを表示する際の処理の流れを示すフローチャートである。
【００４９】
テレビ１の映像受信部２０は、放送波等から映像データを抽出すると、映像データ（および付随情報）をジャンル特定部１１に送信する。ジャンル特定部１１は、映像データのジャンルを特定する。
【００５０】
ジャンル特定部１１は映像データのジャンルが所定のジャンルである場合（Ｓ１でＹＥＳ）、表示制御部１５および表示パラメータ決定部１２にジャンル情報を送信する。表示制御部１５は、ジャンル情報を受信すると、記憶部５０からメニューボタンの画像データを読み出し、メニューボタンを表示部４０に表示させる（Ｓ２）。なお、表示制御部１５はメニューボタンを、当該ボタンが選択されるまで（Ｓ３でＮＯの期間）常時表示していても良いし、一定時間が経過したときにメニューボタンの表示を削除してもよい。
【００５１】
ここで、リモコン２等を介し、ユーザがメニューボタンを選択する、すなわち画質調整メニューの表示を指示する入力操作を行うと（Ｓ３でＹＥＳ）、当該入力操作を示す入力信号がリモコン２から発信され、入力受信部３０がこれを受信する。入力受信部３０は受信した入力信号を指示検出部１３に送り、指示検出部１３は入力信号から、画質調整メニューの表示指示を検出し、表示パラメータ決定部１２に送る。表示パラメータ決定部１２は上記表示指示を受信すると、表示制御部１５とともに画質調整メニュー表示処理を行う（Ｓ６）。
【００５２】
（画質調整メニュー表示処理）
図６は、表示パラメータ決定部１２および表示制御部１５が行う、画質調整メニュー表示処理の流れの一例を示すフローチャートである。表示パラメータ決定部１２は、ジャンル特定部１１からジャンル情報を受信すると（Ｓ４１）、当該ジャンル情報が示すジャンルに応じた二次パラメータを表示パラメータとして決定し（Ｓ４２、パラメータ決定ステップ）、表示制御部１５に表示パラメータの種類（パラメータの名称等、パラメータを一意に特定できる情報）を通知する。
【００５３】
表示制御部１５は表示パラメータ決定部１２から表示パラメータを通知されると、記憶部５０から表示パラメータに対応する一次パラメータの現在値５１を読み出し、当該現在値５１の値から、表示パラメータそれぞれの現在値を特定する（Ｓ４３）。
【００５４】
表示制御部１５は次に、記憶部５０から直方体の空間図形の画像データを読み出し、当該画像に、表示パラメータを調整可能な項目として各辺に埋め込んだ図表βを作成する（Ｓ４４）。さらに表示制御部１５は作成した図表βに、表示パラメータそれぞれの現在値を座標値として反映させ（Ｓ４５）、当該図表βを含んだ画質調整メニューαを表示部４０に表示させる（Ｓ４６、表示制御ステップ）。
【００５５】
なお、ジャンル特定部１１が特定した映像データのジャンルが所定のジャンルでなかった場合（Ｓ１でＮＯ）、制御部１０の各部はＳ１以降の処理を行わない。
【００５６】
以上の処理によると、テレビ１は、画質調整に係る３つのパラメータと、各パラメータの現在値とを１つの図表βに表示させることができる。したがって、ユーザは、多数のパラメータおよびその現在値を視認性良く確認し、調整することができる。
【００５７】
ところで、映像のジャンルによって、画質調整において優先的に調整すべき項目（効果的な調整項目）は異なる。例えば、モノクロ映画では、色再現の調整は不要である。本実施形態に係るテレビ１では、表示パラメータ決定部１２が映像のジャンルの切替わりに応じて自動的に表示パラメータを決定する。そのため、ユーザはジャンルに応じて、どのパラメータを調整すべきかを自分で判断しなくとも、図表βに表示されたパラメータを調整するだけでジャンルに応じた適切な画質調整を行うことができる。したがって、ユーザは画質調整に対する専門知識が無くとも、好みの画質調整を実現することができる。
【００５８】
（画質調整処理）
最後に、画質調整メニューの表示中に、当該メニュー中の図表に示された、表示パラメータの現在値を変更することにより、画質調整を行う処理（画質調整処理）の流れを、図７を用いて説明する。図７は、画質調整処理の流れの一例を示すフローチャートである。
【００５９】
画質調整メニューの表示中にユーザがリモコン２を用いて、１つ以上の表示パラメータに対する現在値の変更操作を行うと、当該操作に応じた入力信号が発信され、入力受信部３０を介して指示検出部１３が当該入力信号を受信する。指示検出部１３は当該入力信号から現在値の変更指示を検出すると（Ｓ５１）、当該変更指示をパラメータ変更部１４に伝える。
【００６０】
パラメータ変更部１４は上記現在値の変更指示に応じて、記憶部５０に格納された一次パラメータの現在値５１のうち、上記表示パラメータを構成する一次パラメータの値をそれぞれ変更する（Ｓ５２）。パラメータ変更部１４は一次パラメータの変更を表示制御部１５に通知する。表示制御部１５は一次パラメータの現在値５１の変更を通知されると、一次パラメータの変更後の値を記憶部５０から読み出し、当該変更後の値から表示パラメータの変更後の値をそれぞれ特定し（Ｓ５３）、当該変更後の値を図表に反映させる（Ｓ５４）。変更が反映された図表は表示部４０に送られ表示される。
【００６１】
以上の処理によると、表示パラメータの現在値を入力操作に応じて変更し、当該図表における現在値の表示を更新することができる。これにより、ユーザは図表中の現在値の表示を見ながら、当該図表にまとめられたパラメータの現在値を変更することができる。したがって、より簡便に画質調整に係るパラメータを変更することができる。
【００６２】
なお、リモコン２等で行われる現在値の変更操作は特に限定されない。例えば、リモコン２にて、図表に表示された３つの表示パラメータのうち１つをボタンや上下左右のキー等で選択し、その後、上下左右のキー等の押下に応じて、選択された１つの表示パラメータの値を変更することとしてもよい。または、リモコン２や、表示部４０と一体に形成されたタッチパネル等を用いて、図表中の現在値のポインタＢを直接動かす（すなわち、表示パラメータ３つの値を、ポインタＢを動かす指示に応じて一度に変更する）こととしてもよい。
【００６３】
〔実施形態２〕
本発明に係るテレビ１の表示制御部１５は、表示パラメータを配した空間図形の図表に表示パラメータの現在値を表示する際に、表示パラメータそれぞれの調整範囲および現在値が見易いように、空間図形中にガイド線およびガイドの円または点の少なくともいずれかを表示してもよい。以下、本発明の第２の実施形態について図８を用いて説明する。なお、本実施形態および以降の実施形態では、説明の便宜上、実施形態１にて説明した部材と同じ機能を有する部材については、同じ符号を付記し、その説明を省略する。
【００６４】
図８の（ａ）〜（ｃ）は、画質調整メニューに表示される図表の他の一例を示す図である。各図の点線は、各表示パラメータの調整範囲を示し、点線の交差した点に示された円は、現在値（ポインタＢが示す座標値）を、直方体の空間図形の各面に投射したもの（表示パラメータのうち、当該平面の２軸で表現される２つのパラメータの２次元上の座標）を示す。
【００６５】
ここで、図８の（ａ）に示す状態から、ユーザの入力操作により「明るさ感」のパラメータの現在値が、より明るい方向へ変更された場合、図８の（ｂ）に示すように、ポインタＢの位置が変更され、それに伴い「明るさ感」以外の調整範囲を示す各ガイド線（「解像感」のガイド線と、「色再現」のガイド線）、および各円の位置が変更される。さらに図８の（ｂ）から、色再現の値が、ＢＴ２０２０のテーブルにより近い値へと変更された場合、図８の（ｃ）に示すように、ポインタＢ、各ガイド線、および円が動く。
【００６６】
このように、ガイド線や円で、現在値を空間図形上の１点でなく、平面状の線や点でも認識可能なように表示することにより、空間図形の図表の視認性を高めることができる。
【００６７】
〔実施形態３〕
また、本発明に係るテレビ１の表示制御部１５は、実施形態１および２にて示した直方体の空間図形の代わりに、３つ以上の表示パラメータのうち２つのパラメータの現在値の大小を縦軸および横軸で示すとともに、表示パラメータのうち１つ以上を、上記縦軸および横軸に配したパラメータの現在値を示すポインタ（オブジェクト）の大きさ、形状、および色の少なくともいずれかで表示してもよい。以下、本発明の第３の実施形態について図９を用いて説明する。
【００６８】
図９は、画質調整メニューに表示される図表のさらに他の一例を示す図である。図９に示す図表β´は、縦軸に表示パラメータの「色再現」、横軸に「解像感」が調整可能に配置された二次元のグラフである。さらに、図表β´は、現在値のポインタＢの大きさ（円の面積）で、表示パラメータの「明るさ感」を示している。なお、図表β´には、変更前の現在値を点線の円で表示してもよい（円Ｄ）。また、ポインタＢの大きさでなく、形状や色によって３つ目の表示パラメータである「明るさ感」の値を調整可能に表示してもよい。
【００６９】
本実施形態の構成によると、２次元のグラフ一図表で、３つ以上のパラメータを調整可能に表示することができる。したがって、ユーザは、一度に３つ以上のパラメータの現在値を、確認および調整することができる。
【００７０】
さらに、本発明に係る制御部１０の表示制御部１５は、映像のジャンル（ジャンル特定部１１の特定するジャンルでもよいし、さらに詳細なジャンル区分でもよい）に応じた表示パラメータの望ましい値を図表β´中に示してもよい。図９の例では、近代映画の場合の明るさ感、解像度感、および色再現の望ましい値と、古い映画の場合の明るさ感、解像度感、および色再現の望ましい値とが、ポインタＣとしてそれぞれ表示されている。
【００７１】
上述したように、映像のジャンルによって、表示パラメータの望ましい値は異なる。例えば、新しい映画では、より解像度を上げて、鮮やかな画像が表示されるように調整することが望ましい。一方、古い映画では、解像度および色再現を低く抑えることで、古い映画らしい風合いを残したまま鑑賞することができる。本実施形態に係る制御部１０は、このようにジャンルに応じた望ましい表示パラメータの値を示すことで、ユーザが当該ジャンルまたは画質調整に対する専門知識を持っていなくても、理想的な画質調整を実現することができる。
【００７２】
〔変形例〕
本発明に係る画質調整装置（上記各実施形態における制御部１０）は、画質調整可能な表示部を備える電子機器であれば、どのような装置に搭載されても構わない。具体的には、画質調整装置は、スマートフォン、携帯電話、タブレット、ノートパソコン、カメラ等に搭載されても構わない。また、表示される画像は動画であっても写真等の静止画であっても構わない。
【００７３】
また、上記実施形態１〜２に示した直方体の空間図形（図４および図８）と、実施形態３に示した図表（図９）の表示方法とを組み合わせてもよい。具体的には、図４または８に示した空間図形において、ポインタＢの球の大きさで４つ目の表示パラメータの値を調整可能に示してもよい。また、上記空間図形においても、図９に示した、変更前の現在値を示す点線円Ｄのように、変更前の現在値を示す球を表示してもよい。
【００７４】
〔ソフトウェアによる実現例〕
テレビ１の制御部１０の制御ブロック（ジャンル特定部１１、表示パラメータ決定部１２、指示検出部１３、パラメータ変更部１４、および表示制御部１５）は、集積回路（ＩＣチップ）等に形成された論理回路（ハードウェア）によって実現してもよいし、ＣＰＵ（Central Processing Unit）を用いてソフトウェアによって実現してもよい。
【００７５】
後者の場合、テレビ１の制御部１０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７６】
〔まとめ〕
本発明の態様１に係る画質調整装置（制御部１０）は、表示部（表示部４０）に表示される映像の画質を画質調整に係るパラメータの値を決定する画質調整装置であって、異なる上記パラメータを３つ以上決定するパラメータ決定部（表示パラメータ決定部１２）と、上記パラメータ決定部が決定した３つ以上の上記パラメータ（表示パラメータ）の調整範囲および現在値を、所定の形式の一図表にまとめて上記表示部に表示させる表示制御部（表示制御部１５）と、を備えることを特徴としている。
【００７７】
上記の構成および方法によると、画質調整に係る３つ以上のパラメータと、各パラメータの現在値とを１図表で表示させることができる。したがって、ユーザは、多数のパラメータおよびその現在値を視認性良く確認し、調整することができる。
【００７８】
また、上記の構成によると、パラメータ決定部により、図表にまとめて表示させるパラメータが決定される。したがって、ユーザは調整すべきパラメータを自分で判断しなくとも、図表に表示されたパラメータを調整するだけで画質を適切に調整することができる。
【００７９】
本発明の態様２に係る画質調整装置は、上記態様１において、上記映像の種類を特定する種類特定部（ジャンル特定部１１）を備え、上記パラメータ決定部は、上記種類特定部が特定した上記映像の種類に応じた３つ以上のパラメータを決定することを特徴としている。
【００８０】
上記の構成によると、映像の種類に応じて、画質向上により有効にはたらくパラメータを選定して図表に表示させることができる。したがって、ユーザは、映像の種類や画質調整について特段の専門知識を持たずとも、図表に示されたパラメータを調整するだけで、画質を適切に調整することができる。
【００８１】
本発明の態様３に係る画質調整装置は、上記態様１または２において、上記表示制御部は、上記所定の形式の図表として、上記パラメータ決定部が決定したパラメータのうち３つのパラメータを、方向の異なる３つの辺に割り当てた空間図形を上記表示部に表示させることを特徴としている。
【００８２】
上記の構成によると、画質調整に係るパラメータのうち３つのパラメータを、１つの空間図形の辺に割り当てて示すことができる。そのため、パラメータおよびその現在値をより視認性良く、かつ簡潔に表示させることができる。
【００８３】
本発明の態様４に係る画質調整装置は、上記態様３において、上記空間図形は直方体であることを特徴としている。
【００８４】
上記の構成によると、画質調整に係る３つのパラメータを、１個の直方体の方向の異なる３辺（例えば、直方体の縦、横、および奥行方向の辺）に割り当てて表示することができる。したがって、パラメータおよびその現在値を直方体内に視認性良く、かつ簡潔に表示させることができる。
【００８５】
本発明の態様５に係る画質調整装置は、上記態様１または２において、上記表示制御部は、上記パラメータ決定部が決定した上記３つ以上のパラメータのうち２つのパラメータの大小を縦軸および横軸で示し、上記３つ以上のパラメータのうち１つ以上を、上記２つのパラメータの現在値を示すオブジェクトの大きさ、形状、および色の少なくともいずれかで示したグラフを、上記所定の形式の図表として上記表示部に表示させることを特徴としている。
【００８６】
上記の構成によると、２次元のグラフ一図表で、３つ以上のパラメータを調整可能に表示することができる。したがって、ユーザは、一度に３つ以上のパラメータの現在値を、確認および調整することができる。
【００８７】
本発明の態様６に係る画質調整装置は、上記態様１〜５のいずれかにおいて、入力操作に応じて、上記図表に表示された１つ以上のパラメータに対する、現在値の変更指示を検出する変更指示検出部（指示検出部１３）と、上記表示部に表示された上記図表における上記パラメータの現在値を、上記変更指示検出部の検出した上記変更指示に応じた値に変更する現在値変更部（パラメータ変更部１４）と、を備え、上記表示制御部は、上記現在値変更部が変更した後の現在値を上記図表中に反映させることを特徴としている。
【００８８】
上記の構成によると、図表中のパラメータの現在値を入力操作に応じて変更し、当該図表における現在値の表示を変更することができる。これにより、ユーザは図表中の現在値の表示を見ながら、当該図表にまとめられたパラメータの現在値を変更することができる。したがって、より簡便に画質調整に係るパラメータを変更することができる。
【００８９】
本発明の態様７に係る画質調整装置は、上記態様１〜６のいずれかにおいて、上記パラメータ決定部が決定するパラメータのうち少なくとも１つのパラメータは、上記表示部の画質調整を行う際に使用される一次パラメータを複数統合した、統合パラメータであることを特徴としている。
【００９０】
上記の構成によると、一図表に、少なくとも１つの統合パラメータが調整可能に表示される。したがって、表示部の画質調整を行う際に直接使用される一次パラメータの項目数で考えると、より多くのパラメータを一図表で表示することができる。
【００９１】
本発明の態様８に係る画質調整装置は、上記態様１〜６のいずれかにおいて、上記パラメータ決定部が決定するパラメータのうち少なくとも１つのパラメータは、上記表示部の画質調整を行う際に使用される一次パラメータをさらに詳細に調整することが可能な詳細パラメータであることを特徴としている。
【００９２】
上記の構成によると、一図表に、少なくとも１つの詳細パラメータが調整可能に表示される。したがって、表示部の画質調整を行う際に直接使用される一次パラメータの少なくとも１つについて、より詳細な調整が可能となる。
【００９３】
本発明の態様９に係るテレビジョン受像機は、上記態様１〜８のいずれか１項に記載の画質調整装置と、上記画質調整装置で画質調整された映像を表示する表示部と、を備えることを特徴としている。
【００９４】
上記の構成によると、上記画質調整装置と同様の効果を奏する。
【００９５】
本発明の態様１０に係る、画質調整装置の制御方法は、表示部に表示される映像の画質調整に係るパラメータの値を決定する画質調整装置の制御方法であって、異なる上記パラメータを３つ以上決定するパラメータ決定ステップ（Ｓ４２）と、上記パラメータ決定ステップにて決定した３つ以上の上記パラメータの調整範囲および現在値を、所定の形式の一図表にまとめて上記表示部に表示させる表示制御ステップ（Ｓ４６）と、を含むことを特徴としている。
【００９６】
上記の構成によると、上記態様１に係る画質調整装置と同様の効果を奏する。
【００９７】
本発明の各態様に係るテレビ１の制御部１０は、コンピュータによって実現してもよく、この場合には、コンピュータを上記制御部１０が備える各部（ソフトウェア要素）として動作させることにより上記制御部１０をコンピュータにて実現させる、制御部１０の制御プログラム、およびそれを記録したコンピュータ読み取り可能な記録媒体も、本発明の範疇に入る。
【００９８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９９】
１  テレビ（テレビジョン受像機）
２  リモコン
１０  制御部（画質調整装置）
１１  ジャンル特定部（種類特定部）
１２  表示パラメータ決定部（パラメータ決定部）
１３  指示検出部（変更指示検出部）
１４  パラメータ変更部（現在値変更部）
１５  表示制御部
２０  映像受信部
３０  入力受信部
４０  表示部
５０  記憶部
５１  一次パラメータの現在値
【図１】
2017175461.tif 000003
【図２】
2017175461.tif 000004
【図３】
2017175461.tif 000005
【図４】
2017175461.tif 000006
【図５】
2017175461.tif 000007
【図６】
2017175461.tif 000008
【図７】
2017175461.tif 000009
【図８】
2017175461.tif 000010
【図９】
2017175461.tif 000011